(57)【特許請求の範囲】
【請求項１】
金属箔からなる２つの外方層およびこれらの外方層間に位置決めされた少なくとも１つの非接着性の中間層を備えたサンドイッチ構造からなり、少なくとも１方向に連続する波形を有する、明かり取り窓等の屋根貫通構造に関連して使用するための変形可能な屋根雨押さえ材料において、
前記外方層に隣接する少なくとも１つの前記中間層が弾性材料を含み、そして前記波形が、これが前記外方層と隣接する前記中間層との間の相互の位置決めを摩擦によって維持するように形成されることを特徴とする変形可能な屋根雨押さえ材料。
【請求項２】
前記波形が調和した正弦曲線として作られることを特徴とする請求項１に記載の変形可能な屋根雨押さえ材料。
【請求項３】
前記波形仕上げの後の長さと開始状態における長さとの間の比として表される波形の度合いが０．４〜０．８の範囲にあることを特徴とする請求項２に記載の変形可能な屋根雨押さえ材料。
【請求項４】
前記波形仕上げの後の長さと開始状態における長さとの間の比として表される波形の度合いが０．５５〜０．７５の範囲にあることを特徴とする請求項３に記載の変形可能な屋根雨押さえ材料。
【請求項５】
波頂部から波谷部への水平距離（Ｌｈ）と波頂部から波谷部への垂直距離との間の比が０．８〜１．２の範囲にあることを特徴とする請求項２に記載の変形可能な屋根雨押さえ材料。
【請求項６】
前記中間層が、ゴム材料から作られた単一の弾性層からなることを特徴とする請求項１〜５のいずれか１項に記載の変形可能な屋根雨押さえ材料。
【請求項７】
前記中間層が、ゴム材料から作られた２つの弾性層およびこれらの層の間に挿入された金属箔層からなることを特徴とする請求項１〜５のいずれか１項に記載の変形可能な屋根雨押さえ材料。
【請求項８】
前記ゴム材料がＥＰＤＭゴムからなっていることを特徴とする請求項６または７に記載の変形可能な屋根雨押さえ材料。
【請求項９】
各弾性層が０．１〜３．０ｍｍの間の厚さを有することを特徴とする請求項６〜８のいずれか１項に記載の変形可能な屋根雨押さえ材料。
【請求項１０】
各弾性層が０．５〜１．５ｍｍの間の厚さを有することを特徴とする請求項９に記載の変形可能な屋根雨押さえ材料。
【請求項１１】
前記外方層の前記金属箔がアルミニウム、亜鉛または銅からなることを特徴とする請求項１〜１０のいずれか１項に記載の変形可能な屋根雨押さえ材料。
【請求項１２】
各外方層が０．０５〜０．５ｍｍの間の厚さを有することを特徴とする請求項１１に記載の変形可能な屋根雨押さえ材料。
【請求項１３】
各外方層が折り目線に沿って折り曲げられる１および同一の材料片の部分からなっていることを特徴とする請求項１１または１２に記載の変形可能な屋根雨押さえ材料。
【発明の詳細な説明】
【０００１】
（技術分野）
本発明は、屋根雨押さえ材料が金属箔からなる２つの外方層およびこれらの外方層間に位置決めされた少なくとも１つの中間の非接着性層を備えたサンドイッチ構造からなり、そのさい前記材料が少なくとも１方向に連続する波形を有する、明かり取り窓等の屋根貫通構造に関連して使用するための変形可能な屋根雨押さえ材料に関する。
【０００２】
（背景技術）
かかる変形可能な雨押さえ材料は、煙突、通気孔、明かり取り窓等であってもよい屋根貫通建物構造と周囲屋根との間に水および雪密閉接続を設けるのに使用されている。
【０００３】
とくに、それによって、取り付けの間中、雨押さえ材料のかなりの変形が必要とされる例えばタイルのごとき波形の屋根に関して、波形または折り曲げの形の材料の過剰組み込みによる雨押さえ材料の使用が以前に使用されたシート状鉛の代替として提案され、それは明らかに良好な変形性を有するがその使用は他方で経済的および環境的観点から見られる問題に関連する。
【０００４】
かくして、ヨーロッパ特許第３８２２２号および国際特許公告明細書第ＷＯ９５／２８５３６号は、そのさい余分な材料が雨押さえ材料の１または２つの方向の波形における波形仕上げによって設けられる、サンドイッチ材料または複合材料を開示している。
【０００５】
最初に述べた公告において、その構造の個々の層は中間層として接着性のビチューメンによってともに保持されている。雨押さえ材料の個々の構成要素が取り外しにおいて分離されることができない、環境的観点から見られる、欠点とは別に、接着性接続は材料の変形性に否定的な作用を有し、そして所望の水および雪の密閉性を得るのに必要な永続的な変形を得るのは難しい。
【０００６】
最後の公告において、サンドイッチ構造の部分を形成する層間の相互の固定は第１の波形に対して実質上垂直な方向における第２の波形によって確立される。この材料が変形可能性に関して優れた特性を有しているとしても、製造方法は第２の波形のために必然的により高価となり、かつ同時に中間層の数および／またはその厚さは制限される。
【０００７】
ドイツ連邦共和国実用新案公告第Ｇ８７０１６０５．２号から、層を相互に固定することに鑑みて、ひだを付けられかつ多分縁部折り曲げを備えるアルミニウム箔で被覆された鉛層からなっているさらに他の雨押さえ材料が知られている。しかしながら、ひだ付けは、基礎となる屋根への適合がひだ付けの鋭い折り曲げのために難しくされることを引き起こし、その折り曲げはそのうえ亀裂および引き裂けの破断方向として役立ち、それは他方で基礎となる屋根構造に対する雨の貫通の危険を引き起こしている。
【０００８】
この背景において、本発明の目的は導入部分として述べられかつ変形されない状態において、層が相対的に移動されずかつそのうえサンドイッチ構造の層が実質上相対的に移動される危険なしに取り付けの間中取扱いが容易であるサンドイッチ構造からなっており、その構造が、他方で、しかしながら、層の一定の相対的運動を許容しかつそのうえ製造が容易でかつ安価でありそして同時に十分な材料の残りの要求に合致する型の変形可能な屋根雨押さえ材料を提供することにある。
【０００９】
（発明の開示）
この目的は、外方層に隣接する少なくとも１つの中間層が弾性材料から作られ、そして波形が、これが前記外方層と前記隣接する中間層との間の相互の位置決めを摩擦によって維持するように形成されることを特徴とする変形可能な屋根雨押さえ材料によって達成される。
【００１０】
１または複数の中間層と組み合わせて波形の特別な実施例は、接着剤の使用なしに外方層と隣接する層との間の有効な固定を生じ、それは周囲の屋根への適合の間中材料の変形を阻止可能で、かつ同時に単一の波形は所望の材料の残り、簡単化された製造および層の数および／またはその厚さに関連して選択の自由を確立する。そのうえ、材料は亀裂または破壊が自己閉止するという利点を有している。
【００１１】
本発明の好適な実施例において、波形は実質上調和した正弦曲線として作られ、最適な機械的摩擦が、同時に作業過程の間中変形されないように許容される外方層と隣接する中間層との間に得られる。
【００１２】
本発明のさらに他の好都合な実施例は残りの従属する請求項において記載されている。
【００１３】
さらに、本発明は、請求項１２に記載されたような屋根雨押さえ材料から作られたスカートを備えた雨押さえレールの製造方法に関する。
【００１４】
以下で、本発明を、添付図面を参照して例としてさらに説明する。
【００１５】
（発明を実施するための最良の形態）
図面に示される変形可能な屋根雨押さえ材料１は、単一方向に連続する波形が付与される、サンドイッチ構造からなっている。
【００１６】
サンドイッチ構造は、各々０．０５〜０．５ｍｍの厚さを有しかつ屋根雨押さえ材料のために適する材料、例えば、強度、変形可能性および耐候性に関連して所望の特性が表面処理によって付加されたアルミニウム、亜鉛または銅からなっている、金属箔からなる２つの外方層２，３からなっている。図２に手示される実施例において、外方層間には、単一の弾性の、非接着性中間層４が置かれ、前記層は図示実施例において、ゴム材料、例えばＥＰＤＭゴムからなっている。しかしながら、前記層はそれ自体の製造の間中かつ取り付けの間中外方層とともに変形させられる柔軟性および弾力性を有するいずれの適宜な材料からも作られ得る。中間層４の表面は、対応して、図示の変形されてない供給状態において、中間層４および外方層２，３が相対的に移動されないが、他方で、基礎となる屋根への雨押さえ材料の適合の間中、層間に一定の相互運動が許容される作用を有している摩擦特性を持たなければならない。所望の摩擦特性は弾性材料の表面処理によって確立される。ゴム層の厚さは０．１〜３．０ｍｍ、好ましくは、０．５〜１．５ｍｍの範囲に横たわる。
【００１７】
図３に示される実施例において、サンドイッチ構造は５つの部分に分割され、これに対して上述された構造は３つの部分に分割され、金属箔７からなる追加の中間層が２つの外方層２，３とこれらの外方層に隣接しかつ弾性材料からなる２つの中間層５，６の間に挿入されている。２つの弾性中間層５，６の厚さは上記の範囲内に横たわり、これに反して挿入された金属箔層の厚さは雨押さえ材料の所望の重量および堅固性の増加に依存して変化する。
【００１８】
図２および図３から最も明瞭に見られるように、波形は実質上調和した正弦曲線として作られている。正弦曲線は波形仕上げ後の雨押さえ材料の１ユニットの長さＬｋと開始位置における対応するユニットの長さＬｕとの間の比として表される波形の度合いを有しており、それは０．４〜０．８、好ましくは、０．５５〜０．７５の範囲内に横たわり、かつ図示の実施例においてはほぼ０．７２である。波の高さに対する波の長さは波の頂部から波の谷部への水平距離Ｌｈと波の頂部から波の谷部への垂直距離Ｌｖとの間の比によって表されかつ０．８〜１．２の範囲に横たわっている。上記の間隔においてこれらのパラメータを有する波形を製造することにより、変形および摩擦特性の最適な組み合わせが得られ、かつ同時に所望の調和した正弦曲線が弾性の中間層が製造の間中弾力または可塑的変形に曝されるのを阻止し、そのようにすると、中間層は実質上ひずみのない状態にありかつ変形されない状態において外方層間に不動のままである。
【００１９】
材料は、さらに述べられかつ出願人の上述したＷＯ９５／２８５３６において説明されたように、２つの別個の金属箔間に、または折り目線に沿って折り曲げられた単一の金属箔の２つの半体間の１またはそれ以上の中間層の位置決めによって製造される。続いて、接合された材料は所望の波形度合いにかつ波長さと波高さとの間の所望の比率に波形仕上げされる。
【００２０】
雨押さえ材料は、今や、例えば、使用されるときの次の切断に鑑みて貯蔵コイルに巻き付けられ得るか、または波形仕上げ後直接仕上げ部片に切断されることもできる。
【００２１】
個々の屋根構造への本発明による雨押さえ材料の適合の間中、弾性層は非接着性の特性および適宜な表面摩擦特性を有する材料の上述した選択により雨押さえ材料の残りの部分の変形に追随することができ、それは、適合自体が問題なく行われかつ同時に気密当接による永続的な変形が雨押さえ材料と基礎となる屋根との間に得られるという作用を有している。
【００２２】
取り付けられるとき雨押さえ材料は、さらに、不用意な取扱いによる材料の破壊または亀裂の場合に弾性中間層がかかる破壊または亀裂のまわりに閉じるという事実により自己密封しているという利点を有している。
【００２３】
図４は本発明による雨押さえ材料からなるスカート８およびこのスカートが接続され得る雨押さえレール９を示している。図５は組み立ての間の端部から見たスカート８および雨押さえレール９を示している。スカート８は、外方層が上述されたように折り曲げられた単一の金属箔から作られるならば、外方層２の折り曲げから構成され得る第１側縁部１０を有している。さらに、スカート８は、少なくとも外方層が好ましくはスカートの端部を閉じるように１８０°屈曲される場合に、２つの端縁部１２を有している。最後に、スカート８は第２側縁部１１を有し、そのさい波形は、層を錠止しかつ次の折り曲げを容易にする、平らな長手方向フラップ１４を設けるように下方に置かれている。
【００２４】
雨押さえレール９は実接ぎチャンネル１３の形成のために折り曲げられ、そのさい平らなフラップ１４が図５に破線で示されるように導入され、それに続いてスカート１０は実線で描かれた線によって指示されるように１８０°揺動される。この実接ぎは出願人のＤＫ−Ｂ−１５１１１２および対応するＥＰ−Ａ−０１９６８３１に記載されたものに対応しかつこれらの公告によって成されるように男性接着帯片が接合部に挿入され得る。
【００２５】
上記によれば、雨押さえ材料が雨押さえレールと接続される予め製造された雨押さえスカートの製造において直接部分を形成するために製造される好都合な製造方法は、
−ウェブ形状の金属箔の搬送
−前記金属箔の折り曲げ、
−前記折り曲げられた金属箔へのゴム布の挿入、
−ゴム布による前記金属箔の波形作成
−平らなフラップの形成のための前記折り曲げた金属箔の折り曲げられない側の縁部の平坦化、
−予め定めた長さにおける金属箔ウェブの切断、
−閉止端を備えたスカートの形成のための切断によって作られた端縁部の折り曲げ、
−好ましくは、例えばブチルゴムからなる弾性接着性帯片と一緒の、実接ぎチャンネルへの平らなフラップの導入、および
−前記スカートおよび前記雨押さえレールをともに固定するための前記平らにされたフラップの折り曲げの工程からなることができる。
【図面の簡単な説明】
【図１】  本発明による雨押さえ材料を示す斜視図である。
【図２】  本発明の第１実施例における雨押さえ材料の線ＩＩ−ＩＩに沿う拡大断面図である。
【図３】  本発明の第２実施例の図２に対応する図である。
【図４】  雨押さえ材料のスカートおよび雨押さえレールを示す図である。
【図５】  雨押さえレールとのスカートの接続を示す図である。
【図１】
0004330793.tif 000002
【図２】
0004330793.tif 000003
【図３】
0004330793.tif 000004
【図４】
0004330793.tif 000005
【図５】
0004330793.tif 000006